【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
UV硬化性アクリルコポリマーの製造方法であって、
（a）モノマーの混合物を重合させてアクリルコポリマーを形成すること、ここで、該モノマー混合物は、
（i）少なくとも1つの（メタ）アクリレートモノマー40−95重量％、
（ii）そのホモポリマーのガラス転移温度が-30℃より高いものから選択される少なくとも1つの共重合性モノマー5−60重量％、および
（iii）任意に、ヒドロキシル基およびカルボキシル基からなる群から選択される官能基を有する少なくとも1つの共重合可能な官能性モノマー0.5−20重量％
を含み、および
（b）アクリルコポリマーを、触媒の存在下でUV硬化性官能基を含む少なくとも1種のモノマーと反応させて、UV硬化性アクリルコポリマーを形成すること
を含む方法。
【請求項２】
前記モノマーの混合物は、
（i）少なくとも1つの（メタ）アクリレートモノマー少なくとも約45重量％、好ましくは少なくとも約50重量％;および/または
（ii）少なくとも1つの（メタ）アクリレートモノマー約94重量％以下、好ましくは約80重量％以下、より好ましくは約70重量％以下
を含む、請求項１に記載の方法。
【請求項３】
前記少なくとも1種の（メタ）アクリレートモノマーは、
（i）そのホモポリマーのガラス転移温度が約-30℃以下であるものから選択され、および/または
（ii）アルキル（メタ）アクリレートであって、好ましくは、該アルキル（メタ）アクリレートのアルキル基の炭素原子数が3−20の範囲であり、より好ましくは、該アルキル（メタ）アクリレートは、ブチルアクリレート、イソ-オクチルアクリレート、2-エチルヘキシルアクリレート、およびそれらの混合物からなる群から選択される、
請求項１または２に記載の方法。
【請求項４】
前記モノマーの混合物は、
（i）少なくとも1つの共重合性モノマー少なくとも約10重量％、好ましくは少なくとも約20重量％;および/または
（ii）少なくとも1つの共重合性モノマー59重量％以下、好ましくは50重量％以下、より好ましくは40重量％以下
を含む、請求項1−3のいずれかに記載の方法。
【請求項５】
重合可能なモノマーは、アルキル（メタ）アクリレート、ビニルアセテート、スチレン、およびそれらの混合物からなる群から選択され、アルキル（メタ）アクリレートのアルキル基の炭素原子数は好ましくは1−20であり、アルキル（メタ）アクリレートはより好ましくはメチル（メタ）アクリレート、エチル（メタ）アクリレート、tert-ブチル（メタ）アクリレート、およびそれらの混合物からなる群から選択される、請求項1−4のいずれかに記載の方法。
【請求項６】
前記モノマー混合物は、
（i）少なくとも1つの共重合可能な官能性モノマー少なくとも約1重量％、好ましくは少なくとも約1.5重量％;および/または
（ii）少なくとも1つの共重合可能な官能性モノマー10重量％以下、好ましくは7重量％以下
を含む、請求項1−5のいずれかに記載の方法。
【請求項７】
請求項1−6のいずれかに記載の方法であって、前記少なくとも1つの共重合可能な官能性モノマーは、ヒドロキシアルキル（メタ）アクリレート、ヒドロキシアルキル（メタ）アクリレートのエトキシル化および/またはプロポキシル化誘導体、それらのラクトン付加物、（メタ）アクリル酸、β-カルボキシエチル（メタ）アクリレート、クロトン酸、マレイン酸、フマル酸、イタコン酸 、アクリル酸、ヒドロキシエチルアクリレート、およびそれらの混合物からなる群から選択され、ここで、ヒドロキシアルキル（メタ）アクリレートのアルキル基の炭素原子数は好ましくは1−20の範囲内であり、ヒドロキシアルキル（メタ）アクリレートは、ヒドロキシエチル（メタ）アクリレート、ヒドロキシプロピル（メタ）アクリレート、ヒドロキシブチル（メタ）アクリレート、ヒドロキシペンチル（メタ）アクリレート、ヒドロキシヘプチル（メタ）アクリレート、ヒドロキシノニル（メタ）アクリレート、ヒドロキシデシル（メタ）アクリレート、それらの異性体、それらのエトキシル化及び/又はプロポキシル化誘導体、それらのラクトンとの付加物；ジエチレングリコールモノ（メタ）アクリレート、ポリエチレングリコールモノ（メタ）アクリレート、プロピレングリコールモノ（メタ）アクリレート、ポリプロピレングリコールモノ（メタ）アクリレート、およびそれらの混合物からなる群から選択されることが好ましい、方法。
【請求項８】
前記モノマーの混合物は、
a）2-エチルヘキシルアクリレート、メタクリル酸、アクリル酸メチルおよびアクリル酸エチル;又は
b）ブチルアクリレート、メタクリル酸、アクリル酸メチルおよびアクリル酸エチル
を含むかまたはそれからなる、請求項1−7のいずれかに記載の方法。
【請求項９】
請求項1−8のいずれかに記載の方法であって、該方法は、アクリル系モノマー混合物を適切な溶剤中に供給し、アクリル系コポリマーを、UV硬化性基を含む少なくとも1種のモノマーと反応させる前に溶媒を蒸発させる工程をさらに含み、ここで、アクリル系コポリマー中の残留溶剤含有量は好ましくは1重量％未満である、方法。
【請求項１０】
UV硬化性基を含むモノマーは、ビニルおよびエポキシ基を含むモノマー、好ましくはエポキシ官能化アクリレート、より好ましくは（メタ）アクリル酸のグリシジルエステルである、請求項1−9のいずれかに記載の方法。
【請求項１１】
アクリルコポリマーのガラス転移温度は約-60℃−約20℃、好ましくは約-30℃−約10℃の範囲である、請求項1−10のいずれかに記載の方法。
【請求項１２】
請求項1−11のいずれかに記載の方法によって得られるUV硬化性アクリルコポリマー。
【請求項１３】
請求項12に記載のUV硬化性アクリルコポリマーおよび光開始剤を含む、接着剤組成物、好ましくは感圧接着剤（PSA）またはホットメルト組成物。
【請求項１４】
接着シートの製造方法であって、
i）請求項13に記載の接着剤組成物を基材上にコーティングして、前記基材表面上に前記接着剤組成物の層を形成すること;および
ii）接着剤組成物の層にUV光を照射して接着シートを形成すること
を含む方法。
【請求項１５】
接着剤、好ましくは感圧接着剤またはホットメルトとしての、請求項12に記載のUV硬化性アクリルコポリマーの使用。
【手続補正２】
【補正対象書類名】明細書
【補正対象項目名】０００１
【補正方法】変更
【補正の内容】
【０００１】
本発明は、紫外線硬化型アクリル系共重合体、並びにそれらの製造方法に関する。本発明はまた、紫外線硬化性アクリル系共重合体を含む接着剤組成物、紫外線硬化性アクリル系共重合体を含む接着シートの製造方法、および紫外線硬化性アクリル系共重合体の使用に関する。
【手続補正３】
【補正対象書類名】明細書
【補正対象項目名】００１１
【補正方法】変更
【補正の内容】
【００１１】
第4の態様では、本発明は接着シートの製造方法に関する。この方法は、以下を含む
i）第3の態様による接着剤組成物を基材上にコーティングして、基材表面上に前記接着剤組成物の層を形成すること;および
ii)接着剤組成物の層にUV光を照射して接着シートを形成すること。
【手続補正４】
【補正対象書類名】明細書
【補正対象項目名】００４０
【補正方法】変更
【補正の内容】
【００４０】
さらに別の態様では、本発明は、接着シートを調製する方法に関する。この方法は、第2の態様の接着剤組成物を基材上にコーティングして、基材表面上に前記接着剤組成物の層を形成することと、接着剤組成物の層にUV光を照射して接着シートを形成することを含む。
【手続補正５】
【補正対象書類名】明細書
【補正対象項目名】００４４
【補正方法】変更
【補正の内容】
【００４４】
このようにして製造された接着剤または接着シートは、例えば高性能接着剤または機能性コーティングにおいて潜在的な用途を有する。溶剤ベースの感圧接着剤と比較して、本明細書に開示された接着剤または接着シートは、熱乾燥が必要でないことにより、乾燥時間がないため生産性が向上するという利点がある。さらに、最先端技術による溶剤系アクリル製品は、40−50g/m2までしかコーティングすることができない。これは効果のない乾燥につながり得る。これはさらに、より厚い層を形成するためにマルチパスプロセスが必要であることを意味し、これは材料の浪費および生産性の低下をもたらし得る。この制限は、本明細書に開示される方法には存在しない。